【手続補正書】
【提出日】平成30年10月16日(2018.10.16)
【手続補正１】
【補正対象書類名】特許請求の範囲
【補正対象項目名】全文
【補正方法】変更
【補正の内容】
【特許請求の範囲】
【請求項１】
ドッキーとのワイヤレス通信のためのドッキングステーションで動作可能な方法であって、
環境との関連付けを決定することと、ここにおいて、前記環境との前記関連付けの前記決定は、前記ドッキングステーションにアクセス可能である識別子またはアドレスに基づく、
前記環境に対応するセッティングにしたがって前記ドッキーのモダリティを制御するように構成されるデータを記憶することと、前記データは、前記ドッキーの１つ以上のコンポーネントの挙動を特徴付ける、少なくとも１つのパラメータ、少なくとも１つの機能、またはそれらの組み合わせに関連する、
条件が前記ドッキーとのドッキングセッションの間、満たされるかどうかを決定することと、
前記条件が満たされる場合、前記データを前記ドッキーに送信することと
を備える、方法。
【請求項２】
前記条件が満たされているかどうかの前記決定は、前記ドッキングセッションの間前記ドッキングステーションと通信する周辺デバイスがユーザ入力を受信したかどうかを決定することを備える、請求項１に記載の方法。
【請求項３】
前記条件が満たされているかどうかの前記決定は、前記ドッキングステーションにドッキングされるドッキーの数がドッキーのしきい値数以上であるかどうかを決定することを備える、請求項１に記載の方法。
【請求項４】
前記条件が満たされているかどうかの前記決定は、別のドッキーが前記ドッキングステーションにドッキングされているかどうかを決定することを備え、
前記データは、前記ドッキーが前記ドッキングステーションを介して排他的に前記別のドッキーと通信するように前記ドッキーの前記モダリティを制御するようにさらに構成される、請求項１に記載の方法。
【請求項５】
前記条件が満たされているかどうかの前記決定は、前記ドッキーの一意の識別子が前記ドッキングステーションにアクセス可能であるモダリティプロファイルと関連付けられているかどうかを決定することを備え、
前記データは、前記モダリティプロファイルにしたがって前記ドッキーの前記モダリティを制御するようにさらに構成される、請求項１に記載の方法。
【請求項６】
前記ドッキングステーションのロケーションに対応する前記セッティングに基づいて前記ドッキーからのデータを周辺デバイスにルーティングすること、
をさらに備える、請求項１に記載の方法。
【請求項７】
前記データは、前記ドッキーの前記１つ以上のコンポーネントが電力消費を節約するように前記ドッキーの前記モダリティを制御するようにさらに構成される、請求項１に記載の方法。
【請求項８】
ドッキーとの通信のための装置であって、
前記装置が関連付けられている環境に対応するセッティングにしたがって前記ドッキーのモダリティを制御するように構成されるデータを記憶するように構成されるメモリと、前記データは、前記ドッキーの１つ以上のコンポーネントの挙動を特徴付ける、少なくとも１つのパラメータ、少なくとも１つの機能、またはそれらの組み合わせに関連する、
前記メモリに通信可能に結合され、
前記環境との関連付けを決定することと、ここにおいて、前記環境との前記関連付けの前記決定は、前記装置にアクセス可能である識別子またはアドレスに基づく、
前記環境に対応する前記データを記憶することと、
条件が前記ドッキーとのドッキングセッションの間、満たされるかどうかを決定することと、
前記条件が満たされる場合、前記データを前記ドッキーに提供することと
を行うように構成される処理システムと
を備える、装置。
【請求項９】
前記条件が満たされているかどうかの前記決定は、前記ドッキングセッションの間前記装置と通信する周辺デバイスがユーザ入力を受信したかどうかを決定することを備える、または、
前記条件が満たされているかどうかの前記決定は、前記装置にドッキングされるドッキーの数がドッキーのしきい値数以上であるかどうかを決定することを備える、請求項８に記載の装置。
【請求項１０】
前記条件が満たされているかどうかの前記決定は、別のドッキーが前記装置にドッキングされているかどうかを決定することを備え、
前記データは、前記ドッキーが前記装置を介して排他的に前記別のドッキーと通信するように前記ドッキーの前記モダリティを制御するようにさらに構成される、請求項８に記載の装置。
【請求項１１】
前記条件が満たされているかどうかの前記決定は、前記ドッキーの一意の識別子が前記装置にアクセス可能であるモダリティプロファイルと関連付けられているかどうかを決定することを備え、
前記データは、前記モダリティプロファイルにしたがって前記ドッキーの前記モダリティを制御するようにさらに構成される、請求項８に記載の装置。
【請求項１２】
前記処理システムは、
前記装置のロケーションに対応する前記セッティングに基づいて前記ドッキーからのデータを周辺デバイスにルーティングするようにさらに構成される、請求項８に記載の装置。
【請求項１３】
前記データは、前記ドッキーの前記１つ以上のコンポーネントが電力消費を節約するように前記ドッキーの前記モダリティを制御するようにさらに構成される、請求項８に記載の装置。
【請求項１４】
前記データを前記ドッキーに送信するように構成される送信機をさらに備え、前記装置は、ドッキングステーションとして構成される、請求項８に記載の装置。
【請求項１５】
装置のコンピュータ読み取り可能な媒体であって、前記コンピュータ読み取り可能な媒体は、請求項１乃至７のいずれかの方法を実行するために構成されるコンピュータ実行可能なコードを備える、コンピュータ読み取り可能な媒体。
【手続補正２】
【補正対象書類名】明細書
【補正対象項目名】００７１
【補正方法】変更
【補正の内容】
【００７１】
[0080]  先の説明は、いかなる当業者であっても、本明細書に説明された様々な態様を実現することを可能にするために提供されている。これらの態様への様々な修正は、当業者に容易に明らかとなり、本明細書に定義された一般的な原理は、他の態様に適用され得る。よって、特許請求の範囲は、本明細書に示された態様に限定されることを意図されず、特許請求の範囲のことばと合致する完全な範囲が与えられるべきであるが、ここで、単数形の要素への参照は、そのように明記されない限り、「１つおよび１つだけ（one and only one）」ではなく、むしろ「１つ以上（one or more）」を意味するように意図される。そうではないと明記されていない限り、「いくつかの」という用語は、１つ以上を指す。項目のリスト「のうちの少なくとも１つ」に関する表現は、単一のメンバを含む、それらの項目のうちの任意の組み合わせを指す。例として、「ａ、ｂ、またはｃ：のうちの少なくとも１つ」は：ａ；ｂ；ｃ；ａおよびｂ；ａおよびｃ；ｂおよびｃ；ならびにａ、ｂおよびｃをカバーするように意図されている。当業者に既知の、または後に既知となる、本開示全体にわたって説明された様々な態様の要素と構造的および機能的に同等な物はすべて、参照によって本明細書に明確に組み込まれ、特許請求の範囲に包含されるよう意図される。さらに、本明細書に開示されたものはいずれも、特許請求の範囲において明示的に記載されているかどうかにかかわらず、公共に捧げられるように意図されていない。要素が、「〜するための手段」という表現を使用して明確に記載されていない限り、または方法の請求項の場合、要素が、「〜するためのステップ」という表現を使用して記載されていない限り、請求項のいずれの要素も３５Ｕ．Ｓ．Ｃ．§１１２（ｆ）の規定の下に解釈されるべきではない。
以下に本願の出願当初の特許請求の範囲に記載された発明を付記する。
［Ｃ１］
ドッキーとのワイヤレス通信のためのドッキングステーションで動作可能な方法であって、
条件が前記ドッキーとのドッキングセッションの間、満たされるかどうかを決定することと、
前記条件が満たされるときデータを前記ドッキーに送信することと、ここにおいて、前記送信されたデータは、前記ドッキーのモダリティを制御するように構成され、前記ドッキーの前記モダリティは、前記ドッキーの１つ以上のコンポーネントの挙動を備える、
を備える、方法。
［Ｃ２］
前記条件は、前記ドッキングセッションの間前記ドッキングステーションと通信する周辺デバイスへの既定のユーザ入力を備える、Ｃ１に記載の方法。
［Ｃ３］
前記条件は、ドッキーのしきい値数以上である、前記ドッキングステーションにドッキングされるドッキーの数を備える、Ｃ１に記載の方法。
［Ｃ４］
前記条件は、前記ドッキングステーションにドッキングされている別のドッキーを備え、
前記送信されたデータは、前記ドッキーが前記ドッキングステーションを介して排他的に前記別のドッキーと通信するように前記ドッキーの前記モダリティを制御するようにさらに構成される、Ｃ１に記載の方法。
［Ｃ５］
前記条件は、前記ドッキングステーションにアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、Ｃ１に記載の方法。
［Ｃ６］
前記ドッキングステーションは、環境と関連付けられ、
前記送信されたデータは、前記環境に対応するセッティングにしたがって前記ドッキーの前記モダリティを制御するようにさらに構成される、Ｃ１に記載の方法。
［Ｃ７］
前記ドッキングステーションのロケーションと関連付けられるセッティングに基づいて前記ドッキーからのデータを周辺デバイスにルーティングすること、
をさらに備える、Ｃ１に記載の方法。
［Ｃ８］
前記送信されたデータは、前記ドッキーの前記１つ以上のコンポーネントが電力消費を節約するように前記ドッキーの前記モダリティを制御するようにさらに構成される、Ｃ１に記載の方法。
［Ｃ９］
ドッキーとのワイヤレス通信のための装置であって、
トランシーバと、
メモリと、
前記メモリおよび前記トランシーバに通信可能に結合される少なくとも１つのプロセッサと
を備え、前記少なくとも１つのプロセッサは、
条件が前記ドッキーとのドッキングセッションの間、満たされるかどうかを決定することと、
前記条件が満たされるときデータを前記ドッキーに送信するために前記トランシーバを利用することと、ここにおいて、前記送信されたデータは、前記ドッキーのモダリティを制御するように構成され、前記ドッキーの前記モダリティは、前記ドッキーの１つ以上のコンポーネントの挙動を備える、
を行うように構成される、装置。
［Ｃ１０］
前記条件は、前記ドッキングセッションの間前記装置と通信する周辺デバイスへの既定のユーザ入力を備える、Ｃ９に記載の装置。
［Ｃ１１］
前記条件は、ドッキーのしきい値数以上である、前記装置にドッキングされるドッキーの数を備える、Ｃ９に記載の装置。
［Ｃ１２］
前記条件は、前記装置にドッキングされている別のドッキーを備え、
前記送信されたデータは、前記ドッキーが前記装置を介して排他的に前記別のドッキーと通信するように前記ドッキーの前記モダリティを制御するようにさらに構成される、Ｃ９に記載の装置。
［Ｃ１３］
前記条件は、前記装置にアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、Ｃ９に記載の装置。
［Ｃ１４］
前記装置は、環境と関連付けられ、
前記送信されたデータは、前記環境に対応するセッティングにしたがって前記ドッキーの前記モダリティを制御するようにさらに構成される、Ｃ９に記載の装置。
［Ｃ１５］
前記少なくとも１つのプロセッサは、
前記装置のロケーションと関連付けられるセッティングに基づいて前記ドッキーからのデータを周辺デバイスにルーティングするようにさらに構成される、Ｃ９に記載の装置。
［Ｃ１６］
前記送信されたデータは、前記ドッキーの前記１つ以上のコンポーネントが電力消費を節約するように前記ドッキーの前記モダリティを制御するようにさらに構成される、Ｃ９に記載の装置。
［Ｃ１７］
ドッキーとのワイヤレス通信のための装置であって、
条件が前記ドッキーとのドッキングセッションの間、満たされるかどうかを決定するための手段と、
前記条件が満たされるときデータを前記ドッキーに送信するための手段と、ここにおいて、前記送信されたデータは、前記ドッキーのモダリティを制御するように構成され、前記ドッキーの前記モダリティは、前記ドッキーの１つ以上のコンポーネントの挙動を備える、
を備える、装置。
［Ｃ１８］
前記条件は、前記ドッキングセッションの間、前記装置と通信する周辺デバイスへの既定のユーザ入力を備える、Ｃ１７に記載の装置。
［Ｃ１９］
前記条件は、ドッキーのしきい値数以上である、前記装置にドッキングされるドッキーの数を備える、Ｃ１７に記載の装置。
［Ｃ２０］
前記条件は、前記装置にドッキングされている別のドッキーを備え、
前記送信されたデータは、前記ドッキーが前記装置を介して排他的に前記別のドッキーと通信するように前記ドッキーの前記モダリティを制御するようにさらに構成される、Ｃ１７に記載の装置。
［Ｃ２１］
前記条件は、前記装置にアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、Ｃ１７に記載の装置。
［Ｃ２２］
前記装置は、環境と関連付けられ、
前記送信されたデータは、前記環境に対応するセッティングにしたがって前記ドッキーの前記モダリティを制御するようにさらに構成される、Ｃ１７に記載の装置。
［Ｃ２３］
前記装置のロケーションと関連付けられるセッティングに基づいて前記ドッキーからのデータを周辺デバイスにルーティングするための手段、
をさらに備える、Ｃ１７に記載の装置。
［Ｃ２４］
装置のコンピュータ読み取り可能な媒体であって、
条件がドッキーとのドッキングセッションの間、満たされるかどうかを決定することと、
前記条件が満たされるときデータを前記ドッキーに送信することと、ここにおいて、前記送信されたデータは、前記ドッキーのモダリティを制御するように構成され、前記ドッキーの前記モダリティは、前記ドッキーの１つ以上のコンポーネントの挙動を備える、
のために構成されるコンピュータ実行可能なコードを備える、コンピュータ読み取り可能な媒体。
［Ｃ２５］
前記条件は、前記ドッキングセッションの間、前記装置と通信する周辺デバイスへの既定のユーザ入力を備える、Ｃ２４に記載のコンピュータ読み取り可能な媒体。
［Ｃ２６］
前記条件は、ドッキーのしきい値数以上である、前記装置にドッキングされるドッキーの数を備える、Ｃ２４に記載のコンピュータ読み取り可能な媒体。
［Ｃ２７］
前記条件は、前記装置にドッキングされている別のドッキーを備え、
前記送信されたデータは、前記ドッキーが前記装置を介して排他的に前記別のドッキーと通信するように前記ドッキーの前記モダリティを制御するようにさらに構成される、Ｃ２４に記載のコンピュータ読み取り可能な媒体。
［Ｃ２８］
前記条件は、前記装置にアクセス可能であるモダリティプロファイルと関連付けられている前記ドッキーの一意の識別子を備え、
前記送信されたデータは、前記モダリティプロファイルにしたがって前記ドッキーの前記モダリティを制御するようにさらに構成される、Ｃ２４に記載のコンピュータ読み取り可能な媒体。
［Ｃ２９］
前記装置は、環境と関連付けられ、
前記送信されたデータは、前記環境に対応するセッティングにしたがって前記ドッキーの前記モダリティを制御するようにさらに構成される、Ｃ２４に記載のコンピュータ読み取り可能な媒体。
［Ｃ３０］
前記コンピュータ実行可能なコードは、
前記装置のロケーションと関連付けられるセッティングに基づいて前記ドッキーからのデータを周辺デバイスにルーティングするためにさらに構成される、Ｃ２４に記載のコンピュータ読み取り可能な媒体。